(57)【要約】【課題】簡単な構成で防犯機能を追加することができる携帯機器を提供する。【解決手段】デジタルカメラ１０は、クレードル５０にセットすると、クレードル５０から電力供給を受けて、内蔵するバッテリ１６４が充電される。このとき、クレードル５０に設けられている防犯モード切換スイッチ６２がＯＮに設定されていると、クレードル５０に備えられたマイク６２で集音され、一定以上の音が検出されると、クレードル５０からデジタルカメラ５０に異常検出信号が出力される。この異常検出信号を受けて、デジタルカメラ５０はストロボ１８を発光させ、防犯動作を行う。【選択図】      図５
2007013843.tif 000002
【特許請求の範囲】
【請求項１】
充電台にセットして、本体に内蔵された充電池を充電する携帯機器において、
前記充電台に設けられ、防犯機能のＯＮ／ＯＦＦを設定する設定手段と、
前記充電台に設けられ、周囲環境の異常を検出する異常検出手段と、
前記充電台に設けられ、前記防犯機能がＯＮ設定された状態で前記異常検出手段が異常を検出すると、前記携帯機器に異常検出信号を送信する送信手段と、
前記携帯機器に設けられ、前記充電台から送信された異常検出信号を受信する受信手段と、
前記携帯機器に設けられ、前記受信手段で異常検出信号が受信されると、前記携帯機器に所定の防犯動作を行わせる制御手段と、
を備えたことを特徴とする携帯機器。
【請求項２】
前記設定手段と前記異常検出手段とが、一つのユニットとして前記充電台に着脱自在に設けられていることを特徴とする請求項１に記載の携帯機器。
【請求項３】
前記異常検出手段は、熱、音又は光の異常を検出して異常を検出することを特徴とする請求項１又は２に記載の携帯機器。
【請求項４】
前記携帯機器は、撮影装置であって、被写体までの距離を測定する測距手段を備え、前記制御手段は、前記受信手段で異常検出信号を受信すると、前記測距手段に所定時間、所定間隔で測定を開始させ、得られた測定値に変化が生じると、前記携帯機器に防犯動作を行わせることを特徴とする請求項１、２又は３に記載の携帯機器。
【請求項５】
前記携帯機器は、撮像素子で画像を撮像し、得られた画像を記憶メディアに記録する撮影装置であって、前記撮像素子から連続的に得られた画像を解析し、物体の移動を検出する移動検出手段を備え、前記制御手段は、前記受信手段で異常検出信号を受信すると、一定期間、前記撮像素子に画像を連続的に撮像させて、前記移動検出手段に物体の移動を検出させ、該移動検出手段で物体の移動が検出されると、前記携帯機器に防犯動作を行わせることを特徴とする請求項１、２又は３に記載の携帯機器。
【請求項６】
前記携帯機器は、撮像素子で画像を撮像し、得られた画像を記憶メディアに記録する撮影装置であって、前記撮像素子から得られた画像を解析して、人物を検出する人物検出手段を備え、前記制御手段は、前記受信手段で異常検出信号を受信すると、一定期間、前記撮像素子に画像を連続的に撮像させて、前記人物検出手段に人物を検出させ、該人物検出手段で人物が検出されると、前記携帯機器に防犯動作を行わせることを特徴とする請求項１、２又は３に記載の携帯機器。
【請求項７】
前記携帯機器は、スピーカを備え、前記制御手段は、前記防犯動作として、前記スピーカから所定の警告音を発生させることを特徴する請求項１、２、３、４、５又は６に記載の携帯機器。
【請求項８】
前記携帯機器は、発光手段を備え、前記制御手段は、前記防犯動作として、前記発光手段を発光させることを特徴する請求項１、２、３、４、５、６又７に記載の携帯機器。
【請求項９】
前記制御手段は、前記防犯動作として、前記撮像素子に画像を撮像させ、該撮像素子から得られた画像を前記記憶メディアに記録させることを特徴する請求項５又は６に記載の携帯機器。
【請求項１０】
前記携帯機器は、撮像素子で画像を撮像し、得られた画像を記憶メディアに記録する撮影装置であって、前記制御手段は、前記防犯動作として、前記撮像素子に画像を撮像させ、該撮像素子から得られた画像を前記記憶メディアに記録させることを特徴する請求項１、２、３又は４に記載の携帯機器。
【発明の詳細な説明】
【技術分野】
【０００１】
本発明は携帯機器に係り、特に防犯機能を備えた携帯機器に関する。
【背景技術】
【０００２】
近年、デジタルカメラや携帯電話機等の携帯機器は多機能化しており、防犯機能を備えたものも種々提案されている。たとえば、特許文献１では、カメラ本体に人体検知センサを設け、その人検知センサで人の接近を検知すると、自動で画像を撮影することが提案されている。また、特許文献２では、カメラのストロボ用コンデンサに蓄えられている電力を利用して、カメラをスタンガンとして機能させることが提案されている。さらに、特許文献３、４では、デジタルカメラを充電台にセットすると、デジタルカメラが監視カメラとして機能することが提案されている。
【特許文献１】特開２００１−３６７７５号公報
【特許文献２】特開２００２−１３５６３７号公報
【特許文献３】特開２００３−７５９０７号公報
【特許文献４】特開２００４−１２００６７号公報
【発明の開示】
【発明が解決しようとする課題】
【０００３】
しかしながら、従来の方法では、いずれも携帯機器側に別途防犯機能用の設備を追加しなければならず、装置構成が複雑化するとともに、コストアップになるという欠点があった。
【０００４】
本発明は、このような事情に鑑みてなされたもので、簡単な構成で防犯機能を追加することができる携帯機器を提供することを目的とする。
【課題を解決するための手段】
【０００５】
請求項１に係る発明は、前記目的を達成するために、充電台にセットして、本体に内蔵された充電池を充電する携帯機器において、前記充電台に設けられ、防犯機能のＯＮ／ＯＦＦを設定する設定手段と、前記充電台に設けられ、周囲環境の異常を検出する異常検出手段と、前記充電台に設けられ、前記防犯機能がＯＮ設定された状態で前記異常検出手段が異常を検出すると、前記携帯機器に異常検出信号を送信する送信手段と、前記携帯機器に設けられ、前記充電台から送信された異常検出信号を受信する受信手段と、前記携帯機器に設けられ、前記受信手段で異常検出信号が受信されると、前記携帯機器に所定の防犯動作を行わせる制御手段と、を備えたことを特徴とする携帯機器を提供する。
【０００６】
請求項１に係る発明によれば、携帯機器を充電台にセットして、防犯機能をＯＮ設定すると、携帯機器が充電台で充電されつつ、充電台に設けられた異常検出手段で周囲環境の異常が検出される。そして、異常検出手段で異常が検出されると、充電台から携帯機器に異常検出信号が送信され、携帯機器が所定の防犯動作を実施する。
【０００７】
請求項２に係る発明は、前記目的を達成するために、前記設定手段と前記異常検出手段とが、一つのユニットとして前記充電台に着脱自在に設けられていることを特徴とする請求項１に記載の携帯機器を提供する。
【０００８】
請求項２に係る発明によれば、設定手段と異常検出手段が一つのユニットとして充電台に着脱自在に設けられる。
【０００９】
請求項３に係る発明は、前記目的を達成するために、前記異常検出手段は、熱、音又は光の異常を検出して異常を検出することを特徴とする請求項１又は２に記載の携帯機器を提供する。
【００１０】
請求項３に係る発明によれば、異常検出手段が熱、音又は光の異常を検出して、周囲環境の異常を検出する。
【００１１】
請求項４に係る発明は、前記目的を達成するために、前記携帯機器は、撮影装置であって、被写体までの距離を測定する測距手段を備え、前記制御手段は、前記受信手段で異常検出信号を受信すると、前記測距手段に所定時間、所定間隔で測定を開始させ、得られた測定値に変化が生じると、前記携帯機器に防犯動作を行わせることを特徴とする請求項１、２又は３に記載の携帯機器を提供する。
【００１２】
請求項４に係る発明によれば、携帯機器が測距手段を備えた撮影装置で構成される。携帯機器は、受信手段で異常検出信号が受信されると、一定時間、一定の間隔で測距を行い、測定値に変化が生じた場合にのみ、防犯動作を行う。
【００１３】
請求項５に係る発明は、前記目的を達成するために、前記携帯機器は、撮像素子で画像を撮像し、得られた画像を記憶メディアに記録する撮影装置であって、前記撮像素子から連続的に得られた画像を解析し、物体の移動を検出する移動検出手段を備え、前記制御手段は、前記受信手段で異常検出信号を受信すると、一定期間、前記撮像素子に画像を連続的に撮像させて、前記移動検出手段に物体の移動を検出させ、該移動検出手段で物体の移動が検出されると、前記携帯機器に防犯動作を行わせることを特徴とする請求項１、２又は３に記載の携帯機器を提供する。
【００１４】
請求項５に係る発明によれば、携帯機器が撮影装置で構成され、撮像素子から連続的に得られた画像を解析し、物体の移動を検出する移動検出手段を備えている。携帯機器は、受信手段で異常検出信号を受信すると、撮像素子で連続的に画像を撮像し、移動検出手段で物体の移動が検出された場合にのみ、防犯動作を行う。
【００１５】
請求項６に係る発明は、前記目的を達成するために、前記携帯機器は、撮像素子で画像を撮像し、得られた画像を記憶メディアに記録する撮影装置であって、前記撮像素子から得られた画像を解析して、人物を検出する人物検出手段を備え、前記制御手段は、前記受信手段で異常検出信号を受信すると、一定期間、前記撮像素子に画像を連続的に撮像させて、前記人物検出手段に人物を検出させ、該人物検出手段で人物が検出されると、前記携帯機器に防犯動作を行わせることを特徴とする請求項１、２又は３に記載の携帯機器を提供する。
【００１６】
請求項６に係る発明によれば、携帯機器が影装置で構成され、撮像素子から得られた画像を解析して、人物を検出する人物検出手段を備えている。携帯機器は、受信手段で異常検出信号を受信すると、撮像素子で連続的に画像を撮像し、人物検出手段で人物が検出された場合にのみ、防犯動作を行う。
【００１７】
請求項７に係る発明は、前記目的を達成するために、前記携帯機器は、スピーカを備え、前記制御手段は、前記防犯動作として、前記スピーカから所定の警告音を発生させることを特徴する請求項１、２、３、４、５又は６に記載の携帯機器を提供する。
【００１８】
請求項７に係る発明によれば、携帯機器がスピーカを備えており、スピーカから警告音を発生させて、防犯動作を行う。
【００１９】
請求項８に係る発明は、前記目的を達成するために、前記携帯機器は、発光手段を備え、前記制御手段は、前記防犯動作として、前記発光手段を発光させることを特徴する請求項１、２、３、４、５、６又７に記載の携帯機器を提供する。
【００２０】
請求項８に係る発明によれば、携帯機器が発光手段を備えており、発光手段を発光させて、防犯動作を行う。
【００２１】
請求項９に係る発明は、前記目的を達成するために、前記制御手段は、前記防犯動作として、前記撮像素子に画像を撮像させ、該撮像素子から得られた画像を前記記憶メディアに記録させることを特徴する請求項５又は６に記載の携帯機器を提供する。
【００２２】
請求項９に係る発明によれば、携帯機器が撮影装置で構成され、防犯動作として、画像の撮像、記録を行う。
【００２３】
請求項１０に係る発明は、前記目的を達成するために、前記携帯機器は、撮像素子で画像を撮像し、得られた画像を記憶メディアに記録する撮影装置であって、前記制御手段は、前記防犯動作として、前記撮像素子に画像を撮像させ、該撮像素子から得られた画像を前記記憶メディアに記録させることを特徴する請求項１、２、３又は４に記載の携帯機器を提供する。
【００２４】
請求項１０に係る発明によれば、携帯機器が撮影装置で構成され、防犯動作として、画像の撮像、記録を行う。
【発明の効果】
【００２５】
本発明によれば、簡単な構成で携帯機器に防犯機能を追加することができることができる。
【発明を実施するための最良の形態】
【００２６】
以下、添付図面に従って本発明に係る携帯機器を実施するための最良の形態について詳説する。
【００２７】
図１、図２は、それぞれ本発明が適用されたデジタルカメラの正面斜視図と背面斜視図である。
【００２８】
図１に示すように、デジタルカメラ１０のカメラ本体１２は、横方向に細長い矩形のブロック状に形成されており、その正面には撮影レンズ１４、ファインダ窓１６、ストロボ１８等が設けられている。また、カメラ本体１２の上面には、シャッタボタン２０、電源／モードスイッチ２２、モードダイヤル２４等が設けられており、背面には、図２に示すように、ファインダ接眼部２８、液晶モニタ３０、ズームボタン３２、十字キー３４、ＭＥＮＵ／ＯＫボタン３６、ＤＩＳＰボタン３８、ＢＡＣＫボタン４０等が設けられている。また、図示しないカメラ本体１２の底面には、バッテリカバー、三脚ネジ穴、外部接続端子が設けられており、バッテリカバーの内側には、バッテリを装填するためのバッテリ装填室及びＲＡＭカードを装填するためのＲＡＭカードスロットが設けられている。
【００２９】
シャッタボタン２０は、いわゆる「半押し」と「全押し」とからなる２段ストローク式のスイッチで構成されており、このシャッタボタン２０を半押しすることにより、デジタルカメラ１０は、ＡＥ（Automatic Exposure：自動露出）、ＡＦ（Auto Focus：自動合焦）、ＡＷＢ（Automatic White Balance：自動ホワイトバランス）が機能し、全押しすることにより、画像の記録が行われる。
【００３０】
電源／モードスイッチ２２は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２２「再生位置」又は「撮影位置」に合わせることにより、電源がＯＮになり、「ＯＦＦ位置」に合わせることにより、電源がＯＦＦになる。そして、電源／モードスイッチ２２を「再生位置」に合わせることにより「再生モード」に設定され、「撮影位置」に合わせることにより「撮影モード」に設定される。
【００３１】
モードダイヤル２４は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタスピード優先撮影モード」、「マニュアル撮影モード」に設定される。
【００３２】
液晶モニタ３０は、カラー表示が可能な液晶ディスプレイで構成されている。この液晶モニタ３０は、再生モード時に撮影済み画像を表示するための表示パネルとして利用されるとともに、各種設定時にユーザインターフェースの表示パネルとして利用される。また、撮影時には必要に応じてスルー画像が表示されて、画角確認用の電子ファインダとして利用される。
【００３３】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３４】
十字キー３４は、上下左右４方向に押圧操作することができるようにされており、各方向の各キーは、カメラの状態に応じて割り当てられる機能が変化する。たとえば、通常の撮影モード時には、右キーがマクロ機能のＯＮ／ＯＦＦを切り替えるスイッチとして機能し、左キーがストロボの機能（オート／赤目軽減／スローシンクロ／発光禁止）を切り替えるスイッチとして機能する。また、後述するように、フレーミング調整時には、上キーが撮影領域の上方向への移動、下キーが撮影領域の下方向への移動、右キーが撮影領域の右方向への移動、左キーが撮影領域の左方向への移動指示を入力するキーとして機能する。また、再生時には右キーが順コマ送りボタンとして機能し、左キーが逆コマ送りボタンとして機能する。
【００３５】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３６】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００３７】
このデジタルカメラ１０は、図３及び図４に示すように、カメラ本体１２をクレードル５０にセットして、カメラ本体１２に内蔵された充電式のバッテリの充電、及び、パソコンとの接続が行われる。
【００３８】
このクレードル１０は、矩形のブロック状に形成されたクレードル本体５２を有しており、そのクレードル本体５２の上面にデジタルカメラ１０の載置部５４が形成されている。載置部５４は、カメラ本体５２の底面が嵌合可能な凹部として形成されており、この載置部５４にカメラ本体５２を嵌め込んで、デジタルカメラ１０をクレードル５０にセットする。
【００３９】
載置部５４の内側には、接続端子５６が設けられており、デジタルカメラ１０をクレードル５０にセットすると、この接続端子５６にデジタルカメラ１０の底面に設けられた外部接続端子が接続される。デジタルカメラ１０は、この外部接続端子を介して充電及びパソコン等との接続が行われる。
【００４０】
図示しないクレードル本体５２の背面には、電源端子とクレードル外部接続端子とが設けられている。電源端子には、電源ケーブル５８を介して図示しないＡＣアダプタが接続され、このＡＣアダプタからクレードル５０に電源が供給される。また、クレードル外部接続端子には、外部接続ケーブル６０が接続され、この外部接続ケーブルを介してクレードル５０がパソコン等の外部機器に接続される。
【００４１】
さて、上記のように、本実施の形態のデジタルカメラ１０は、クレードル５０にセットすることにより、充電及びパソコン等との接続が可能になるが、これと同時に防犯装置としても機能させることができる。クレードル本体５２の正面には、この防犯機能のＯＮ／ＯＦＦを切り換える防犯モード切換スイッチ６２、マイク６４が設けられている。防犯モード切換スイッチ６２は、シーソースイッチで構成されており、防犯モードのＯＮ／ＯＦＦを切り換えるスイッチとして機能する。クレードル５０は、この防犯モード切換スイッチ６２がＯＮされると、載置部５４にセットされたデジタルカメラ１０と協同して防犯機能をする。すなわち、マイク６４で音声を集音し、音の異常を検出すると、デジタルカメラ１０を起動して、撮影を行う。この点については、後に詳述する。
【００４２】
図５は、デジタルカメラ１０とクレードル５０の電気的構成を示すブロック図である。同図に示すように、デジタルカメラ１０は、カメラＣＰＵ１１０、操作部（シャッタボタン２０、電源／モードスイッチ２２、モードダイヤル２４、ズームボタン３２、十字キー３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、ＲＡＭ１２０、ＶＲＡＭ１２２、タイマ１２４、撮影光学系１２６、撮影光学系駆動部１２８、撮影光学系駆動制御部１３０、撮像素子１３４、タイミングジェネレータ（ＴＧ）１３６、アナログ信号処理部１３８、Ａ／Ｄ変換器１４０、画像入力コントローラ１４２、画像信号処理部１４４、圧縮・伸張処理部１４６、メディアコントローラ１４８、メモリカード（記憶メディア）１５０、エンコーダ１５２、ＡＥ／ＡＷＢ検出部１５４、ＡＦ検出部１５６、ストロボ制御部１５８、通信制御部１６０、電源制御部１６２、バッテリ１６４、外部接続端子１６６等で構成されている。一方、クレードル５０は、クレードルＣＰＵ２１０、操作部（防犯モード切換スイッチ６２）２１２、ＲＯＭ２１４、ＲＡＭ２１６、マイク６４、Ａ／Ｄ変換器２１８、音声信号処理部２２０、第１通信制御部２２２、第２通信制御部２２４、電源制御部２２６、接続端子５６等で構成され、接続端子５６をデジタルカメラ側の外部接続端子１６６に接続することで、デジタルカメラ１０と電気的に接続される。
【００４３】
まず、デジタルカメラ１０の電気的構成について説明する。デジタルカメラ１０は、カメラＣＰＵ１１０によって全体の動作が統括制御されている。カメラＣＰＵ１１０は、操作部１１２からの入力に基づき所定の制御プログラムに従って各部を制御する。
【００４４】
バス１１４を介してカメラＣＰＵ１１０と接続されたＲＯＭ１１６には、カメラＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４５】
ＲＡＭ１２０は、カメラＣＰＵ１１０の演算作業用領域として利用されるとともに、画像データの一時記憶領域として利用され、ＶＲＡＭ１２２は、表示用の画像データ専用の一時記憶領域として利用される。
【００４６】
撮影光学系１２６は、撮影レンズと絞りを含み、撮影光学系駆動部１２８に駆動されて動作する。撮影光学系駆動制御部１３０は、カメラＣＰＵ１１０からの指令に基づき撮影光学系駆動部１２８の駆動を制御して、撮影光学系１２６の動作を制御する。
【００４７】
撮像素子１３４は、所定のカラーフィルタ配列（たとえば、ベイヤ配列）のカラーＣＣＤで構成されている。撮影光学系１２６を介して撮像素子１３４の受光面に入射した光は、その受光面に規則的に配列された各フォトダイオードによって入射光量に応じた量の信号電荷に変換される。
【００４８】
タイミングジェネレータ（ＴＧ）１３６は、カメラＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４９】
アナログ信号処理部１３８は、撮像素子１３４から順次出力される画像信号を相関二重サンプリング処理するとともに増幅する。Ａ／Ｄ変換器１４０は、このアナログ信号処理部１３８から出力されたＲ、Ｇ、Ｂのアナログの画像信号をデジタルの画像信号に変換する。
【００５０】
画像入力コントローラ１４２は、所定容量のバッファＲＡＭを内蔵しており、Ａ／Ｄ変換器１１８から出力された１コマ分の画像信号を蓄積して、ＲＡＭ１２０に格納する。
【００５１】
画像信号処理部１４４は、同時化回路、ガンマ補正回路、輪郭補正回路、輝度・色差信号生成回路等を含み、カメラＣＰＵ１１０からの指令に従ってＲＡＭ１２０に格納された画像信号を処理し、輝度信号と色差信号とからなるＹＵＶ信号を生成する。
【００５２】
液晶モニタ３０にスルー画像を表示させる場合は、撮像素子１３４で連続的に画像を撮像し、得られた画像信号を連続的に処理してＹＵＶ信号を生成する。生成されたＹＵＶ信号は、ＶＲＡＭ１２２を介してエンコーダ１５２に加えられ、液晶表示用の信号形式に変換されて液晶モニタ３０に出力される。これにより、液晶モニタ３０にスルー画像が表示される。
【００５３】
画像を記録する場合は、撮影指令に応じて撮像素子１３４で画像を撮像し、得られた画像信号を処理してＹＵＶ信号を生成する。生成されたＹＵＶ信号は、圧縮・伸張処理部１４６に加えられ、所定の圧縮画像データとされたのち、メディアコントローラ１４８を介してメモリカード（メモリカード）１５０に格納される。
【００５４】
メモリカード１５０に格納された圧縮画像データは、再生指令に応じてメディアコントローラ１４８を介してＲＡＭ１２０に読み出され、圧縮・伸張処理部１４６に加えられる。圧縮・伸張処理部１４６は、入力された圧縮画像データを非圧縮のＹＵＶ信号に変換する。変換されたＹＵＶ信号は、エンコーダ１５２を介して液晶モニタ３０に出力され、これにより、メモリカード１５０に記録された画像が液晶モニタ３０に再生表示される。
【００５５】
ＡＥ／ＡＷＢ検出部１５４は、カメラＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割したエリアごとにＲ、Ｇ、Ｂの画像信号の積算値を算出する。カメラＣＰＵ１１０は、このＡＥ／ＡＷＢ検出部１５４から得た積算値に基づいて被写体の明るさ（被写体輝度）を検出し、所定のプログラム線図から絞り値とシャッタスピードを決定する。
【００５６】
また、ＡＷＢ制御に必要な物理量として、１画面を複数のエリア（例えば、１６×１６）に分割し、分割したエリアごとにＲ、Ｇ、Ｂの画像信号の色別の平均積算値を算出する。カメラＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整部のＲ、Ｇ、Ｂ信号に対するゲイン値（ホワイトバランス補正値）を決定する。
【００５７】
ＡＦ検出部１５６は、カメラＣＰＵ１１０からの指令に従って入力された画像信号からＡＦ制御に必要な物理量を算出する。本実施の形態のデジタルカメラ１０では、画像のコントラストによりＡＦ制御を行うものとし、ＡＦ検出部１６０は、入力された画像信号から画像の鮮鋭度を示す焦点評価値を算出する。カメラＣＰＵ１１０は、このＡＦ検出部１５６で算出される焦点評価値が極大となるように、撮影光学系駆動制御部１３０を介して撮影光学系駆動部１２８を駆動する。
【００５８】
ストロボ制御部１５８は、カメラＣＰＵ１１０からの指令に従ってストロボ１８の発光を制御する。
【００５９】
通信制御部１６０は、カメラＣＰＵ１１０からの指令に応じて、外部接続端子１６４を介して接続されたクレードル５０との間でデータの送受信を行う。
【００６０】
電源制御部１６２は、カメラＣＰＵ１１０からの指令に従って外部接続端子１６４をバッテリ１６４に充電するとともに、デジタルカメラ各部への電力供給を制御する。ここで、バッテリ１６４に充電する電力は、外部接続端子１６４を介してクレードル５０から供給され、クレードル５０は、デジタルカメラ１０が載置部５４にセットされると、接続端子５６を介してデジタルカメラ１０に電力を供給する。
【００６１】
次に、クレードル５０の電気的構成について説明する。クレードル５０は、全体の動作をクレードルＣＰＵ２１０によって統括制御されている。クレードルＣＰＵ２１０は、操作部２１２からの入力に基づき所定の制御プログラムに従ってクレードル５０の各部を制御する。ＲＯＭ２１４には、このクレードルＣＰＵ２１０が実行する制御プログラムの他、制御に必要な各種データが記録されている。ＲＡＭ２１６は、クレードルＣＰＵ２１０の作業領域として利用される。
【００６２】
マイク６４から入力された音声信号は、Ａ／Ｄ変換器２１８によってデジタル信号に変換され、音声信号処理部２２０に入力される。音声信号処理部２２０は、入力された音声信号から所定の音声データを生成し、解析することにより、音声の異常を検出する。
【００６３】
第１通信制御部２２２は、クレードルＣＰＵ２１０からの指令に応じて、接続端子５６を介して接続されたデジタルカメラ１０との間でデータの送受信を行う。
【００６４】
第２通信制御部２２４は、クレードルＣＰＵ２１０からの指令に応じて、クレードル外部接続端子（図示せず）に接続されたパソコン等との間でデータの送受信を行う。
【００６５】
電源制御部２２６は、クレードルＣＰＵ２１０からの指令に応じて、電源の供給制御を行う。電源は電源端子に接続されたＡＣアダプタから供給される。
【００６６】
次に前記のごとく構成された本実施の形態のデジタルカメラ１０の作用について説明する。
【００６７】
まず、デジタルカメラ単体での動作について説明する。上記のように、デジタルカメラ１０は、「撮影モード」に設定されると、画像の記録が可能になり、「再生モード」に設定されると、記録済み画像の再生が可能になる。
【００６８】
撮影モードに設定されると、デジタルカメラ１０は、シャッタボタン２２の半押しでＡＥ、ＡＦ、ＡＷＢ処理を実行し、全押しで画像の記録処理を実行する。
【００６９】
まず、シャッタボタン２２が半押しされると、撮像素子１３４から出力された画像信号が、アナログ信号処理部１３６、Ａ／Ｄ変換器１３６、画像入力コントローラ１３８を介してＲＡＭ１２０に取り込まれ、ＲＡＭ１２０からＡＥ／ＡＷＢ検出部１５４及びＡＦ検出部１５６に加えられる。
【００７０】
ＡＥ／ＡＷＢ検出部１５４は、入力された画像信号からＡＥ制御及びＡＷＢ制御に必要な物理量を算出し、カメラＣＰＵ１１０に出力する。カメラＣＰＵ１１０は、このＡＥ／ＡＷＢ検出部１５４からの出力に基づき露出（絞り値とシャッタスピード）を決定するとともに、ホワイトバランス補正値を決定する。
【００７１】
また、ＡＦ検出部１５６は、入力された画像信号からＡＦ制御に必要な物理量を算出し、カメラＣＰＵ１１０に出力する。カメラＣＰＵ１１０は、このＡＦ検出部１５６からの出力に基づいて撮影光学系駆動制御部１３０にコマンドを出力し、撮影光学系駆動部１２８を制御して、撮影レンズ１４のピントを主要被写体に合わせる。
【００７２】
この後、シャッタボタン２２が全押しされると、カメラＣＰＵ１１０は、画像の記録処理を実行する。
【００７３】
まず、上記のＡＥ処理で求めた露出で撮像素子１３４を露光し、記録用の画像信号の取り込みを行う。
【００７４】
撮像素子１３４から出力された画像信号は、アナログ信号処理部１３６、Ａ／Ｄ変換器１３６、画像入力コントローラ１３８を介してＲＡＭ１２０に取り込まれ、ＲＡＭ１２０から画像信号処理部１４４に加えられる。画像信号処理部１４４は、入力された画像信号に対して所要の信号処理を施して画像データ（ＹＵＶデータ）を生成する。生成された画像データは、一旦ＲＡＭ１２０に格納されたのち、圧縮・伸張処理部１４６に加えられ、所定の圧縮フォーマットで圧縮されて、再度、ＲＡＭ１２０に格納される。
【００７５】
カメラＣＰＵ１１０は、このＲＡＭ１２０に格納された圧縮画像データに対して撮影日時や絞り値、シャッタスピードなどの付属情報を付加した所定フォーマット（たとえばＥｘｉｆ）の画像ファイルを生成し、メディアコントローラ１４８を介してメモリカードに記録する。
【００７６】
なお、モードダイヤル２４が「動画撮影モード」に設定されている場合には、動画像が撮影される。この場合、シャッタボタン２２を全押ししている間、あるいは、シャッタボタン２２を全押ししてから次に全押しされるまでの間、撮像素子１３４で連続的に撮像されたれた画像が、所定形式の動画像ファイルとしてメモリカード１５０に記録される。
【００７７】
次に、「再生モード」に設定されたときのデジタルカメラ１０の処理動作について説明する。
【００７８】
電源／モードスイッチ２６を「再生位置」に合わせて、カメラのモードを再生モードに設定すると、カメラＣＰＵ１１０は、メディアコントローラ１４８にコマンドを出力し、メモリカード１５０に最後に記録された画像ファイルの圧縮画像データを読み出させる。
【００７９】
読み出された圧縮画像データは、圧縮・伸張処理部１４６に加えられ、非圧縮のＹＵＶ信号に変換されたのち、エンコーダ１５２を介して液晶モニタ３０に出力される。これにより、メモリカード１５０に記録されている画像が、液晶モニタ３０に再生表示される。
【００８０】
画像のコマ送りは、十字ボタン３４の左右のキー操作で行なわれ、右キーが操作されると、次のコマ番号の圧縮画像データが、メモリカード１５０から読み出され、所要の伸張処理が施された後、液晶モニタ３０に再生表示される。また、十字ボタン３４の左キーが操作されると、一つ前のコマの圧縮画像データがメモリカード１５０から読み出され、所要の伸張処理が施された後、液晶モニタ３０に再生表示される。
【００８１】
なお、再生対象とする画像ファイルが、動画像の画像ファイルの場合には、液晶モニタ３０に動画像が再生表示される。
【００８２】
次に、デジタルカメラ１０をクレードル５０にセットしたときの動作について説明する。デジタルカメラ１０は、クレードル５０にセットすることでカメラ本体１２に内蔵されたバッテリ１６４の充電、及び、パソコンとのデータ通信が可能になるが、これと同時にクレードル５０の防犯モード切換スイッチ６２をＯＮ設定していると、防犯機能も作動する。
【００８３】
図６は、デジタルカメラ１０がセットされたときのクレードル５０の動作を説明するフローチャートである。
【００８４】
デジタルカメラ１０がクレードル５０にセットされると（ステップＳ１０）、クレードルＣＰＵ２１０は、デジタルカメラ１０への給電処理を開始する（ステップＳ１１）。すなわち、電源制御部２２６にコマンドを出力し、接続端子５６を介してＡＣアダプタから供給される電力をデジタルカメラ１０に供給する。
【００８５】
デジタルカメラ５６は、このクレードル５０から供給される電力を受けてバッテリ１６４を充電する。すなわち、カメラＣＰＵ１１０は、電源制御部１６２にコマンドを出力し、外部接続端子１６６を介してクレードル５０から供給される電力をバッテリ１６４に充電させる。
【００８６】
この後、クレードルＣＰＵ２１０は、防犯モード切換スイッチ６２の設定に基づいて防犯機能がＯＮ設定されているか否か判定する（ステップＳ１２）。防犯機能がＯＦＦ設定されていると判定すると、クレードルＣＰＵ２１０は、通常の給電処理のみを実行する。この場合、クレードルＣＰＵ２１０は、クレードル５０からデジタルカメラ１０が取り外されたか否か判定し（ステップＳ１９）、取り外されたと判定すると、給電処理を終了して（ステップＳ１８）、処理を終了する。
【００８７】
一方、防犯機能がＯＮ設定されていると判定すると、クレードルＣＰＵ２１０は、異常検出処理を開始する（ステップＳ１３）。すなわち、マイク６４で音声の集音を開始し、音声信号処理部２２０で音声の異常を検出する。ここでは、マイク６４に一定以上の音声が入力されると、異常と判定するものとする。
【００８８】
クレードルＣＰＵ２１０は、この音声処理部２２０による音声の異常検出の結果に基づいて、異常の有無を判定する（ステップＳ１４）。そして、異常ありと判定すると、デジタルカメラ１０に異常を通知する（ステップＳ１５）。すなわち、通信制御部２２０を介して接続端子５６からデジタルカメラ１０に異常検出信号を出力する。
【００８９】
デジタルカメラ１０のカメラＣＰＵ１１０は、この異常検出信号を入力すると、カメラの電源をＯＮし、ストロボ制御部１５８を制御して、ストロボ１８を１回又は複数回発光させる。
【００９０】
この後、クレードルＣＰＵ２１０は、防犯機能がＯＦＦ設定されたか否か判定する（ステップＳ１６）。防犯機能がＯＦＦ設定されたと判定すると、クレードルＣＰＵ２１０は、通常の給電処理のみを実行する。この場合、クレードルＣＰＵ２１０は、デジタルカメラ１０がクレードル５０から取り外されたか否か判定し（ステップＳ１９）、取り外されたと判定すると、給電処理を終了して（ステップＳ１８）、処理を終了する。
【００９１】
一方、防犯機能がＯＦＦ設定されていないと判定すると、デジタルカメラ１０がクレードル５０から取り外されたか否か判定し（ステップＳ１７）、取り外されたと判定すると、給電処理を終了して（ステップＳ１８）、処理を終了する。また、デジタルカメラ１０がクレードル５０から取り外されていないと判定すると、ステップＳ１４の処理に戻り、音声信号処理部２２０の検出結果に基づいて異常の有無を判定する。
【００９２】
このように本実施の形態のデジタルカメラ１０によれば、カメラ本体１２をクレードル５０にセットすることにより、カメラ本体１２がクレードル５０と一体となって防犯システムを構成する。この時、周囲環境の異常検出を行うマイク等の異常検出手段がクレードル５０に設けられ、また、デジタルカメラ１０に既存の装置を利用して、威嚇動作（防犯動作）を行うため、デジタルカメラ自体には何ら特別な装置を追加することなく防犯システムを構成することができる。この結果、デジタルカメラ自体はコンパクトで安価にすることができる。また、充電機能を備えたクレードル５０と一体となって防犯システムを構成するため、電池切れを起こすこともない。
【００９３】
なお、上記実施の形態では、異常が検出された場合におけるデジタルカメラ１０の防犯動作として、ストロボ１８を一回又は複数回発光させているが、デジタルカメラ１０が行う防犯動作は、これに限定されるものではない。デジタルカメラ１０に既存の機能を利用するものであればよい。たとえば、スピーカが備えられている場合には、ストロボ１８の発光に代えて、あるいは、ストロボ１８の発光と共にスピーカから所定の警告音を鳴らすようにしてもよい。また、ＡＦ補助光が備えられている場合には、ストロボ１８の発光に代えて、あるいは、ストロボ１８の発光と共にＡＦ補助光を点灯又は点滅させるようにしてもよい。この他、一定時間画像を撮像し、撮像した画像をメモリカード１５０に記録するようにしてもよい。この場合、撮像する画像は動画像であってもよいし、静止画像であってもよい。また、静止画像を撮像する場合は、一定の間隔で連続的に静止画像を撮像するようにしてもよい。
【００９４】
また、上記実施の形態において、異常が検出された場合におけるデジタルカメラ１０の防犯動作として、ストロボ１８を一回又は複数回発光させているが、防犯動作の停止処理は、ユーザが手動で行うようにしてもよい。すなわち、ユーザが手動で停止させるまで、ストロボ１８の発光、警告音の発生、撮影・記録を継続的に行うようにしてもよい。この他、ユーザによる停止操作があるまで、一定時間の間、継続して防犯動作を実行するようにしてもよい。
【００９５】
また、上記実施の形態では、マイク６４に一定以上の音声が入力されると、異常と判定するようにしているが、周囲環境の異常を検出する手段は、これに限定されるものではない。たとえば、マイク６４から入力された音声を解析し、特定の音声が入力された場合、異常と判定するようにしてもよい。
【００９６】
また、音声による異常検出の他、光や熱等で異常を検出するようにしてもよい。たとえば、赤外線を検知して、人の存在を検知し、異常を検出するようにしてもよい。この場合、たとえば赤外線人検知センサをクレードル本体５２に設置し、人を検知する。この種の赤外線人検知センサは、一般に焦電素子と、この焦電素子に赤外線を集光させる凹面鏡と、焦電素子から出力された電気信号を処理する信号処理回路とで構成されており、人体から発した赤外線を凹面鏡で受光して焦電素子に集光させ、その焦電素子からの電気信号の出力を検出して、人の存在を検知する。また、たとえば、熱を検知して、人の存在を検知し、異常を検出するようにしてもよい。この場合も熱検知センサをクレードル本体５２に設置し、人を検知する。
【００９７】
また、上記実施の形態では、クレードル５０で周囲環境の異常が検出されると、デジタルカメラ１０は、直ちに防犯動作を行うように構成しているが、誤検出を防止するため、クレードルから異常検出信号を受けた場合、デジタルカメラ側でも異常の検出動作を行い、異常が検出された場合にのみ、所定の防犯動作を行うようにしてもよい。以下、デジタルカメラ側で行う異常検出動作について説明する。
【００９８】
図７は、デジタルカメラがクレードルから異常検出信号を受信したときの動作手順を示すフローチャートである。同図に示すように、デジタルカメラ１０は、クレードル５０から異常検出信号を受信すると、画像を撮影し、得られた画像を解析して、画像の変化を検出する。そして、画像の変化が検出された場合にのみ、防犯動作を実施する。以下に具体的な処理の説明を行う。
【００９９】
まず、カメラＣＰＵ１１０は、クレードル５０から異常検出信号の受信の有無を判定する（ステップＳ２０）。そして、異常検出信号が受信されたと判定すると、カメラの電源を投入し（ステップＳ２１）、画像の撮影を行う（ステップＳ２２）。そして、撮影された画像に対して画像信号処理部１４４で画像解析を実施し（ステップＳ２３）、画像の変化を検出する。
【０１００】
ここで、画像の変化は、たとえば連続的に撮影した二枚の画像の差分を検出し、一定以上の差分が検出されると、画像が変化したものと判定する。あるいは、あらかじめ登録した画像との差分を検出し、一定以上の差分が検出されると、画像が変化したものと判定する。この他、公知の方法を用いることができる。
【０１０１】
この画像解析の結果から、カメラＣＰＵ１１０は、画像の変化の有無を判定する（ステップＳ２４）。そして、画像の変化ありと判定すると、上述した防犯動作を実行する（ステップＳ２５）。すなわち、ストロボの発光、警告音の発生、画像の撮影・記録等を実行する。
【０１０２】
この後、カメラＣＰＵ１１０は、カメラの電源をＯＦＦし（ステップＳ２６）、カメラ本体１２がクレードル５０から外されたか否か判定する（ステップＳ２７）。そして、カメラ本体１２がクレードル５０から外されたと判定すると、処理を終了し、カメラ本体１２がクレードル５０から外されていないと判定すると、ステップＳ２０の処理に戻って、異常検出信号の受信の有無を判定する。
【０１０３】
また、上記ステップ２４で画像の変化なしと判定すると、カメラＣＰＵ１１０は、撮影開始から一定時間が経過したか否か判定する（ステップＳ２８）。そして、一定時間が経過したと判定すると、カメラの電源をＯＦＦし（ステップＳ２６）、カメラ本体１２がクレードル５０から外されたか否か判定する（ステップＳ２７）。そして、外されたと判定すると、処理を終了し、外されていないと判定すると、ステップＳ２０の処理に戻り、異常検出信号の受信の有無を判定する。
【０１０４】
一方、一定時間が経過していないと判定すると、カメラＣＰＵ１１０は、ステップＳ２２の処理に戻り、画像の撮影を行う。そして、その撮影画像を解析し（ステップＳ２３）、画像の変化の有無を判定する（ステップＳ２４）。
【０１０５】
このように本実施の形態では、クレードル５０で異常が検出された場合であっても、撮像素子１３４で撮像された画像に変化がなければ、異常がないものと判断して防犯動作を行わないようにしたので、不用意に防犯動作が実行されるのを防止できる。
【０１０６】
なお、本例では画像の変化を検出して、移動する物体の検出を行うようにしているが、移動する物体を検出する方法は、これに限定されるものではない。たとえば、一定時間、一定の間隔でＡＦ制御を実行し、結像位置にずれが生じるか否かを検出して、移動する物体の検出を行うようにしてもよい。
【０１０７】
また、カメラ本体に撮像素子１３４とは別にＡＦセンサ（測距センサ）を備えている場合には、そのＡＦセンサを用いて移動する物体を検出するようにしてもよい。すなわち、ＡＦセンサを用いて主要被写体までの距離を一定の間隔で連続的に測定し、測定値が変化した場合、物体が移動したものと判定するようにしてもよい。
【０１０８】
この他、公知の手法を用いて物体の移動を検出し、異常の有無を判定するようにしてもよい。
【０１０９】
また、上記の例では、異常検出のために画像の撮影を行っているが、この異常検出のために撮影した画像もメモリカードに記録するようにしてもよい。この場合、画像の変化なしと判定すると、メモリカードから消去するようにしてもよい。また、異常検出のために撮影した画像をＲＡＭ等に格納しておき、変化ありと判定すると、メモリカードに記録するようにしてもよい。
【０１１０】
図８は、デジタルカメラがクレードルから異常検出信号を受信したときの他の動作手順を示すフローチャートである。同図に示すように、デジタルカメラ１０は、クレードル５０から異常検出信号を受信すると、画像を撮影し、得られた画像を解析して、人が撮影されているかを検出する。そして、人が撮影されていると、防犯動作を実施する。以下に具体的な処理の説明を行う。
【０１１１】
まず、カメラＣＰＵ１１０は、クレードル５０から異常検出信号の受信の有無を判定する（ステップＳ３０）。そして、異常検出信号が受信されたと判定すると、カメラの電源を投入し（ステップＳ３１）、画像の撮影を行う（ステップＳ３２）。そして、撮影された画像に対して画像信号処理部１４４で画像解析を実施し（ステップＳ３３）、撮影画像の中から人の検出を行う。
【０１１２】
なお、画像解析を行って、画像から人を検出する方法については、公知の方法を用いるものとする。
【０１１３】
この画像解析の結果から、カメラＣＰＵ１１０は、撮影した画像に人が写っているか否か判定する（ステップＳ３４）。そして、人が写っていると判定すると、上述した防犯動作を実行する（ステップＳ３５）。すなわち、ストロボの発光、警告音の発生、画像の撮影・記録等を実行する。
【０１１４】
この後、カメラＣＰＵ１１０は、カメラの電源をＯＦＦし（ステップＳ３６）、カメラ本体１２がクレードル５０から外されたか否か判定する（ステップＳ３７）。そして、カメラ本体１２がクレードル５０から外されたと判定すると、処理を終了し、外されていないと判定すると、ステップＳ３０の処理に戻って、異常検出信号の受信の有無を判定する。
【０１１５】
また、上記ステップ３４で撮影された画像に人が写っていないと判定すると、カメラＣＰＵ１１０は、撮影開始から一定時間が経過したか否か判定する（ステップＳ３８）。そして、一定時間が経過したと判定すると、カメラの電源をＯＦＦし（ステップＳ３６）、カメラ本体１２がクレードル５０から外されたか否か判定する（ステップＳ３７）。そして、外されたと判定すると、処理を終了し、外されていないと判定すると、ステップＳ３０の処理に戻って、異常検出信号の受信の有無を判定する。
【０１１６】
一方、一定時間が経過していないと判定すると、カメラＣＰＵ１１０は、ステップＳ３２の処理に戻り、画像の撮影を行う。そして、その撮影画像を解析し（ステップＳ３３）、人が撮影されているか否か判定する（ステップＳ３４）。
【０１１７】
このように本実施の形態では、クレードル５０で異常が検出された場合であっても、撮像素子１３４で撮像された画像に人が写っていない場合は、異常がないものと判断して防犯動作を行わないようにしたので、不用意に防犯動作が実行されるのを防止できる。特にペットなどを飼っているユーザの場合には、ペットが発生させた物音等で防犯機能が誤動作してしまうのを有効に防止することができる。
【０１１８】
なお、撮影された画像に人が写っている場合にのみ防犯動作を実行するようにしているが、人が写っている場合であっても、あらかじめ登録した人物が写っている場合には、防犯動作を実行しないようにすることが好ましい。すなわち、防犯動作を行わない顔画像をデータベースに登録しておき（たとえばＥＥＰＲＯＭに記録）、撮影された画像からは人物の顔画像を抽出する。そして、抽出した顔画像が、データベースに登録されているか否かを判定し、登録されている場合には、防犯動作を行わないようにする。一方、抽出した顔画像がデータベースに登録されていない場合には、防犯動作を実行する。これにより、不審者を検出した場合にのみ防犯機能が作動し、不用意に防犯機能が作動するのを防止できる。
【０１１９】
なお、上記の例では、クレードル５０から異常検出信号を受信すると、画像を撮影し、人物が写っているか否かを判定するようにしているが、クレードル５０から異常検出信号を受信すると、上記実施の形態のように移動する物体の有無を検出し、移動する物体が検出された場合にのみ、画像を撮影し、人物が写っているか否かを判定するようにしてもよい。これにより、さらに誤動作、誤検出を防止できる。
【０１２０】
また、上記の例では、異常検出のために画像の撮影を行っているが、この異常検出のために撮影した画像もメモリカードに記録するようにしてもよい。この場合、画像の変化なしと判定すると、メモリカードから消去するようにしてもよい。また、異常検出のために撮影した画像をＲＡＭ等に格納しておき、変化ありと判定すると、メモリカードに記録するようにしてもよい。
【０１２１】
また、上記一連の実施の形態では、本発明をデジタルカメラに適用した場合を例に説明したが、本発明の適用は、これに限定されるものではない。たとえば、充電台にセットして充電するものであれば、銀塩カメラやビデオカメラ等の撮影装置にも同様に適用することができる。また、撮影装置以外であっても充電台にセットして充電する携帯機器であれば、同様に適用することができる。たとえば、携帯電話や携帯音楽プレーヤ、電子手帳等にも同様に適用することができる。携帯電話機や携帯音楽プレーヤなどの場合には、充電台側で異常を検知した場合、呼び出し音や音声を再生するようにしてもよい。
【０１２２】
また、上記実施の形態では、防犯モード切換スイッチ６２やマイク６４等の防犯検出に係わる機能をクレードルに一体的に組み込んでいるが、これらの機能をクレードルに着脱自在に設けてもよい。たとえば、図９及び図１０に示すように、マイク６４と防犯モード切換スイッチ６２とを一つにまとめて防犯ユニット７０とし、その防犯ユニット７０をクレードル本体５２に着脱自在に設ける。
【０１２３】
防犯ユニット７０とクレードル本体５２との接続は、たとえばクレードル本体５２の側面に形成されたメスコネクタ７２に、防犯ユニット７０の側面に形成されたオスコネクタ７４を差し込んで行い、これにより、防犯ユニット７０がクレードル本体５２に装着されるとともに、電気的に接続される。
【０１２４】
このように、防犯に係わる機能をクレードル本体５２から着脱自在に設けることにより、クレードル本体５２の構成をコンパクトかつ簡略化することができる。また、ユーザは必要に応じてクレードル本体５２に防犯機能を追加することができるので、状況に応じて利用形態を使い分けることができるようになる。
【０１２５】
また、上記実施の形態では、クレードル５０に設けられた接続端子５６とデジタルカメラ１０に設けられた外部接続端子１６６とを接続して、クレードル５０とデジタルカメラ１０とを通信可能に接続しているが、クレードル５０とデジタルカメラ１０との通信手段は、これに限定されるものではない。たとえば、赤外線通信やブルートゥース、無線ＬＡＮ等の無線通信を用いて、両者間の通信を行うようにしてもよい。
【図面の簡単な説明】
【０１２６】
【図１】デジタルカメラの正面斜視図
【図２】デジタルカメラの背面斜視図
【図３】デジタルカメラとクレードルの正面斜視図
【図４】デジタルカメラとクレードルの正面斜視図
【図５】デジタルカメラとクレードルの電気系の構成を示すブロック図
【図６】デジタルカメラがセットされたときのクレードルの動作を説明するフローチャート
【図７】デジタルカメラがクレードルから異常検出信号を受信したときの動作手順を示すフローチャート
【図８】デジタルカメラがクレードルから異常検出信号を受信したときの他の動作手順を示すフローチャート
【図９】クレードルの他の実施の形態を示す正面斜視図
【図１０】クレードルの他の実施の形態を示す正面斜視図
【符号の説明】
【０１２７】
１０…デジタルカメラ、１２…カメラ本体、１４…撮影レンズ、１６…ファインダ窓、１８…ストロボ、２０…シャッタボタン、２２…電源／モードスイッチ、２４…モードダイヤル、２８…ファインダ接眼部、３０…液晶モニタ、３２…ズームボタン、３４…十字キー、３６…ＭＥＮＵ／ＯＫボタン、３８…ＤＩＳＰボタン、４０…ＢＡＣＫボタン、５０…クレードル、５２…クレードル本体、５４…載置部、５６…接続端子、５８…電源ケーブル、６０…外部接続ケーブル、６２…防犯モード切換スイッチ、６４…マイク、７０…防犯ユニット、７２…メスコネクタ、７４…オスコネクタ、１１０…カメラＣＰＵ、１１１２…操作部、１１４…バス、１１６…ＲＯＭ、１１８…ＥＥＰＲＯＭ、１２０…ＲＡＭ、１２２…ＶＲＡＭ、１２４…タイマ、１２６…撮影光学系、１２８…撮影光学系駆動部、１３０…撮影光学系駆動制御部、１３４…撮像素子、１３６…タイミングジェネレータ（ＴＧ）、１３８…アナログ信号処理部、１４０…Ａ／Ｄ変換器、１４２…画像入力コントローラ、１４４…画像信号処理部、１４６…圧縮・伸張処理部、１４８…メディアコントローラ、１５０…メモリカード（記憶メディア）、１５２…エンコーダ、１５４…ＡＥ／ＡＷＢ検出部、１５６…ＡＦ検出部、１５８…ストロボ制御部、１６０…通信制御部、１６２…電源制御部、１６４…バッテリ、１６６…外部接続端子、２１０…クレードルＣＰＵ、２１２…操作部、２１４…ＲＯＭ、２１６…ＲＡＭ、２１８…Ａ／Ｄ変換器、２２０…音声信号処理部、２２２…第１通信制御部、２２４…第２通信制御部、２２６…電源制御部
【図１】
2007013843.tif 000003
【図２】
2007013843.tif 000004
【図３】
2007013843.tif 000005
【図４】
2007013843.tif 000006
【図５】
2007013843.tif 000007
【図６】
2007013843.tif 000008
【図７】
2007013843.tif 000009
【図８】
2007013843.tif 000010
【図９】
2007013843.tif 000011
【図１０】
2007013843.tif 000012